(57)【要約】【課題】  測定終了後の衛生上の問題や感染の危険性のある試験片を、試験片に接触することなく半自動的に廃棄できる試験片保持装置を提供する。【解決手段】  試験片保持装置１００は、その上面に凹部を備える長方形状の基盤１０２と、該基盤１０２の凹部に摺動可能に嵌合される摺動可動部１０３とを備え、前記試験片１０１の測定時には、前記基盤１０２と摺動可動部１０３との間に試験片１０１を確実に保持し、測定後には、前記基盤１０２に対する前記摺動可動部１０３の摺動動作により、該試験片１０１を当該試験片保持装置１００から半自動的に排出する。  【選択図】    図１
2006189428.tif 000002
【特許請求の範囲】
【請求項１】
挿入される試験片を保持する保持機構と、
前記保持機構による前記試験片の保持状態を解除して、該試験片を排出する排出機構と、を備える、
ことを特徴とする試験片保持装置。
【請求項２】
請求項１に記載の試験片保持装置において、
前記保持機構は、基盤上に、前記試験片の挿入方向に平行な方向に摺動可能な摺動可動部が設けられ、該摺動可動部の所定位置に、前記摺動可動部が前記試験片を該摺動可動部と前記基盤との間に保持するよう、該摺動可動部に係合して前記試験片を前記基盤に対し押圧保持させる第１の弾性体が設けられて構成されてなり、
前記排出機構は、前記保持機構における前記摺動可動部による前記試験片の保持状態より、前記摺動可動部が前記基盤に対して摺動されることで、該保持状態が解除され、前記試験片を排出する、
ことを特徴とする試験片保持装置。
【請求項３】
請求項２に記載の試験片保持装置において、
前記排出機構は、
前記基盤の所定位置に、前記試験片の保持状態を解除状態に切替えるための排出ボタンが設けられ、
前記摺動可動部による前記試験片の保持状態より、前記摺動可動部が前記基盤に対して前記挿入方向と逆方向に摺動されると、前記試験片が前記保持状態を維持したまま前記基盤上の所定位置まで移動し、
前記排出ボタンが前記試験片の保持状態から解除状態に切り替えられると、該排出ボタンにより前記試験片を前記所定位置で係止し、
さらに、前記摺動可動部が前記基盤に対して前記試験片の挿入方向に所定距離以上摺動されると、該摺動可動部による前記保持状態が解除され、前記試験片を排出する、
ことを特徴とする試験片保持装置。
【請求項４】
請求項２に記載の試験片保持装置において、
前記基盤の後方位置に、前記摺動可動部を前記基盤に対して前記試験片の挿入方向に付勢し、前記摺動可動部の前記挿入方向と逆方向への摺動動作を規制する第２の弾性体が設けられている、
ことを特徴とする試験片保持装置。
【請求項５】
請求項２に記載の試験片保持装置において、
前記排出機構は、
前記摺動可動部に、前記試験片を排出するよう付勢する排出用弾性体が設けられており、
前記試験片の保持状態の解除の後、前記排出用弾性体により前記試験片を付勢して排出する、
ことを特徴とする試験片保持装置。
【請求項６】
請求項１に記載の試験片保持装置において、
前記保持機構は、基盤上に、該基盤に対して回動可能に回動可動部が設けられ、前記基盤上の所定位置に、該位置にて前記試験片を前記回動可動部と前記基盤との間に固定保持するよう、前記試験片を前記基盤に対し押圧保持させる第３の弾性体が設けられて構成されてなり、
前記排出機構は、前記保持機構による前記試験片の保持状態より、前記回動可動部が前記基盤に対して上方に回動されることで、該保持状態が解除され、前記試験片を排出する、
ことを特徴とする試験片保持装置。
【請求項７】
請求項６に記載の試験片保持装置において、
前記排出機構は、
前記回動可動部に、前記試験片の保持状態を解除状態に切替える排出ボタンが設けられ、
前記排出ボタンが前記試験片の保持状態から解除状態に切り替えられると、前記回動可動部による前記試験片の保持状態より、前記回動可動部が前記基盤に対して上方に回動し、
該回動可動部の回動角度が所定角度より大きくなると、前記保持状態が解除され、前記試験片を排出する、
ことを特徴とする試験片保持装置。
【請求項８】
請求項７に記載の試験片保持装置において、
前記基盤上に、前記回動可動部の前記基盤に対する上方への回動動作を規制する第４の弾性体が設けられている、
ことを特徴とする試験片保持装置。
【請求項９】
請求項１に記載の試験片保持装置において、
前記保持機構は、基盤中に、前記試験片の挿入方向に平行な方向に摺動可能な摺動可動部が設けられ、前記基盤中の所定位置に、該位置にて前記試験片を固定保持するよう、第５の弾性体が設けられて構成されてなり、
前記排出機構は、前記保持機構による前記試験片の保持状態より、前記摺動可動部が前記基盤に対して摺動されることで、該保持状態が解除され、前記試験片を排出する、
ことを特徴とする試験片保持装置。
【請求項１０】
請求項９に記載の試験片保持装置において、
前記基盤中の後方位置に、前記摺動可動部を前記基盤に対して前記試験片の挿入方向に付勢し、前記摺動可動部の前記挿入方向と逆方向への摺動動作を規制する第６の弾性体が設けられている、
ことを特徴とする試験片保持装置。
【発明の詳細な説明】
【技術分野】
【０００１】
本発明は、試験片を保持する試験片保持装置に関し、特に、測定後に簡便且つ安全に試験片を排出する試験片保持装置に関する。
【背景技術】
【０００２】
臨床診断の分野においては、被検者から採取した血液、血漿、血清、尿などの被検査溶液中の成分の濃度や、該被検査溶液中に含まれる成分の有無を測定し、その測定結果を基に診断を行っている。これに用いられる分析装置には、臨床検査室などで用いられる大型機と、ベットサイドなど被検者のすぐそばで診断結果が得られる、いわゆるＰＯＣＴ（ＰＯＩＮＴ  ＯＦ  ＣＡＲＥ  ＴＥＳＴＩＮＧ）用途で用いられる小型機とがある。前記小型機としては、一般的に、短冊状の試験片が用いられる。具体的には、表面に反応液を塗布、固定化して作成された試験片に、検体を点着し反応させて、該検体中の成分を測定、或いは判定する。
【０００３】
ところで、分析装置にて複数回測定が行われる場合、検体又は反応液間の汚染を回避する為に、大型機では、一般に、使用した反応容器を使い捨てし、また、小型機では、比較的安価で廃棄コストも低い試験片のみを使い捨てしている。
【０００４】
このような分析装置で使用された後の反応容器、或いは試験片は、多くの場合、衛生上の問題や感染の危険を有する場合があり、使用後の反応容器や試験片を廃棄する際には、作業者への危険を回避する為、様々な方法が取られている。
【０００５】
大型機では、一般に使用済みの反応容器を、ロボットアーム、ベルトコンベア、保持具などの機械や器具でつかんで廃棄箱へ搬送し廃棄している。従って、大型機の場合は、使用後の反応容器による衛生上の問題はほぼ回避できるが、装置の大型化、あるいはメンテナンスの複雑化、あるいは製造コストが高いなどの問題がある。
【０００６】
一方、小型機では、試験片のみを使い捨てとする場合が多いため、大型機のような製造コストなどの問題は発生しないが、従来の小型機では、測定が終了した使用後の試験片を、汎用の器具又は手袋などの保護具を装着した手で、そのまま或いは固定具ごと、その小型機から取り外し、さらに、試験片の一部又は周辺を直接つかんで、廃棄箱に廃棄していたため、衛生上の問題や感染の危険を有する。
【０００７】
例えば、図１７は、従来の試験片保持装置を示す図であるが、従来においては、持ち手部７０４を備えた支持体７０３に支持された試験片７０１を、該支持体７０３を固定台７０２のガイド７０５に固定した状態で、該試験片７０１の添加部７０６に検体を付着させ、検知部７０７の吸光度を測定することで、検体中の成分を測定あるいは判定する。そして、測定終了後には、試験片７０１の持ち手部７０４を、ユーザーが直接手又は器具でつかんで、固定部７０２から支持体７０３と共に試験片７０１を取りはずし、廃棄している（特許文献１参照）。
【特許文献１】特開２００３−２８８７６号公報（第１７頁、第１図）
【発明の開示】
【発明が解決しようとする課題】
【０００８】
しかしながら、前述したように、使用後の試験片７０１をユーザーが直接手又は器具でつかんで廃棄する場合、測定終了時には、試験片７０１の広範囲に検体が広がって、持ち手部７０４に検体が近接しているため、ユーザーに対する衛生上の問題や感染の危険性が高く、また機器や周辺部に、その汚染を拡散させる恐れもあるという課題があった。
【０００９】
さらに、従来のような、測定後の試験片を、ピンセットなどの汎用器具でつかみ廃棄する方法では、操作が煩雑であるし、また、手でつかみ廃棄する方法も、手袋などの保護具の準備が必要であり、煩雑であった。
【００１０】
特に、検体として、血液などの人体に有害な物質、或いは感染の危険のある物質を取り扱う場合には、保護具は必須であり、また、保護具を使用していたとしても、作業者が感染源に近接するため、作業者のミスや作業手順の不備などにより、衛生上の問題や感染の危険性が高い場合があるという課題を有していた。
【００１１】
本発明は、前記従来の課題を解決するためのものであり、測定終了後の衛生上の問題や感染の危険性のある試験片を、試験片に接触することなく半自動的に廃棄できる試験片保持装置を提供することを目的とする。
【課題を解決するための手段】
【００１２】
前記従来の課題を解決するために、本発明の試験片保持装置は、挿入される試験片を保持する保持機構と、前記保持機構による前記試験片の保持状態を解除して、該試験片を排出する排出機構と、を備えるものである。
【００１３】
これにより、ユーザーが試験片に接触することなく、該試験片を排出して廃棄できる試験片保持装置を提供できる。
【００１４】
また、本発明の試験片保持装置は、前記保持機構は、基盤上に、前記試験片の挿入方向に平行な方向に摺動可能な摺動可動部が設けられ、該摺動可動部の所定位置に、前記摺動可動部が前記試験片を該摺動可動部と前記基盤との間に保持するよう、該摺動可動部に係合して前記試験片を前記基盤に対し押圧保持させる第１の弾性体が設けられて構成されてなり、前記排出機構は、前記保持機構における前記摺動可動部による前記試験片の保持状態より、前記摺動可動部が前記基盤に対して摺動されることで、該保持状態が解除され、前記試験片を排出するものである。
【００１５】
これにより、当該試験片保持装置に試験片が保持状態にある際に、ユーザーが該試験片に接触することを防止できると共に、前記試験片を排出する際にも、ユーザーが試験片に接触することなく、該試験片を簡便且つ安全に廃棄することが可能となる。
【００１６】
さらに、本発明の試験片保持装置は、前記排出機構は、前記基盤の所定位置に、前記試験片の保持状態を解除状態に切替えるための排出ボタンが設けられ、前記摺動可動部による前記試験片の保持状態より、前記摺動可動部が前記基盤に対して前記挿入方向と逆方向に摺動されると、前記試験片が前記保持状態を維持したまま前記基盤上の所定位置まで移動し、前記排出ボタンが前記試験片の保持状態から解除状態に切り替えられると、該排出ボタンにより前記試験片を前記所定位置で係止し、さらに、前記摺動可動部が前記基盤に対して前記試験片の挿入方向に所定距離以上摺動されると、該摺動可動部による前記保持状態が解除され、前記試験片を排出するものである。
【００１７】
これにより、前記試験片を排出する際に、半自動的に前記試験片を排出し廃棄することができるため、ユーザーの安全性を確保することができる。
【００１８】
さらに、本発明の試験片保持装置は、前記基盤の後方位置に、前記摺動可動部を前記基盤に対して前記試験片の挿入方向に付勢し、前記摺動可動部の前記挿入方向と逆方向への摺動動作を規制する第２の弾性体が設けられているものである。
【００１９】
これにより、前記摺動可動部を前記基盤上の所定位置に保持することができるため、当該試験片保持装置から誤って試験片が排出されないようにすることができる。
【００２０】
さらに、本発明の試験片保持装置は、前記排出機構は、前記摺動可動部に、前記試験片を排出するよう付勢する排出用弾性体が設けられており、前記試験片の保持状態の解除の後、前記排出用弾性体により前記試験片を付勢して排出するものである。
【００２１】
これにより、前記弾性体により前記試験片の排出を促すことができるため、当該試験片保持装置から該試験片を確実に排出して、廃棄することができる。
【００２２】
また、本発明の試験片保持装置は、前記保持機構は、基盤上に、該基盤に対して回動可能に回動可動部が設けられ、前記基盤上の所定位置に、該位置にて前記試験片を前記回動可動部と前記基盤との間に固定保持するよう、前記試験片を前記基盤に対し押圧保持させる第３の弾性体が設けられて構成されてなり、前記排出機構は、前記保持機構による前記試験片の保持状態より、前記回動可動部が前記基盤に対して上方に回動されることで、該保持状態が解除され、前記試験片を排出するものである。
【００２３】
これにより、当該試験片保持装置より試験片を排出する際に、ユーザーが該試験片に接触することなく、該試験片を簡便且つ安全に廃棄することができる。
【００２４】
さらに、本発明の試験片保持装置は、前記排出機構は、前記回動可動部に、前記試験片の保持状態を解除状態に切替える排出ボタンが設けられ、前記排出ボタンが前記試験片の保持状態から解除状態に切り替えられると、前記回動可動部による前記試験片の保持状態より、前記回動可動部が前記基盤に対して上方に回動し、該回動可動部の回動角度が所定角度より大きくなると、前記保持状態が解除され、前記試験片を排出するものである。
【００２５】
これにより、前記試験片を排出する際に、半自動的に前記試験片を排出し廃棄することができるため、ユーザーの安全性を確保することができる。
【００２６】
さらに、本発明の試験片保持装置は、前記基盤上に、前記回動可動部の前記基盤に対する上方への回動動作を規制する第４の弾性体が設けられているものである。
【００２７】
これにより、前記試験片の排出時以外は前記回動可動部の回動動作が行なわれないようにできるため、当該試験片保持装置から誤って試験片が排出されないようにすることができる。
【００２８】
また、本発明の試験片保持装置は、前記保持機構は、基盤中に、前記試験片の挿入方向に平行に摺動可能な摺動可動部が設けられ、前記基盤中の所定位置に、該位置にて前記試験片を固定保持するよう、第５の弾性体が設けられて構成されてなり、前記排出機構は、前記保持機構による前記試験片の保持状態より、前記摺動可動部が前記基盤に対して摺動されることで、該保持状態が解除され、前記試験片を排出するものである。
【００２９】
これにより、当該試験片保持装置から試験片を排出する際に、ユーザーが該試験片に接触することなく、該試験片を簡便且つ安全に廃棄することができる。
【００３０】
さらに、本発明の試験片保持装置は、前記基盤中の後方位置に、前記摺動可動部を前記基盤に対して前記試験片の挿入方向に付勢し、前記摺動可動部の前記挿入方向と逆方向への摺動動作を規制する第６の弾性体が設けられているものである。
【００３１】
これにより、前記排出ボタンを前記基盤中の所定位置に保持することができるため、当該試験片保持装置から誤って試験片が排出されないようにすることができる。
【発明の効果】
【００３２】
本発明の試験片保持装置によれば、試験片を保持する保持機構と、前記保持機構による前記試験片の保持状態を解除して、該試験片を排出する排出機構と、を備えるようにしたので、ユーザーが該試験片に接触することなく、当該試験片保持装置より前記試験片を、安全かつ簡易に排出して廃棄することができるため、ユーザーの安全性を確保することができる。
【発明を実施するための最良の形態】
【００３３】
以下に、本発明の試験片保持装置の実施例を図面とともに詳細に説明する。なお、以下に挙げる実施例はあくまで、本発明の効果を得るための一例であり、本発明はこれらに限定されるものではない。
【００３４】
（実施の形態１）
以下、本実施の形態１における試験片保持装置について説明する。
図１は、本発明の実施の形態１における試験片保持装置の構成を示す図であり、図（ａ）は平面斜視図であり、図（ｂ）は底面斜視図であり、図（ｃ）は断面図である。また、図２は、本実施の形態１における試験片保持装置の分解斜視図である。
【００３５】
図に示すように、本実施の形態１の試験片保持装置１００は、その上面に凹部を備える長方形状の基盤１０２と、該基盤１０２の凹部に摺動可能に嵌合される摺動可動部１０３とを備え、前記試験片１０１の測定時には、前記基盤１０２と摺動可動部１０３との間に試験片１０１を確実に保持し、測定後には、前記基盤１０２に対して前記摺動可動部１０３を摺動させることで、該試験片１０１を当該試験片保持装置１００から半自動的に排出するものである。
【００３６】
当該試験片保持装置１００を構成する材料は、指で押しても変形しない剛性のあるものが良く、合成樹脂、金属、高質ゴムなどから選択でき、形状の作成方法も、成形、切削、プレスなどから選択できるが、コストの面からプラスチック成形で作成することが最も好ましい。
【００３７】
また、前記試験片保持装置１００を構成する材料は、付着した被検査溶液を、病院や検査室で通常用いられる洗浄液で洗浄できるように、耐薬品性を有していることが望ましい。
【００３８】
さらに、ユーザが当該試験片保持装置１００を洗浄しやすいように、試験片保持装置１００の各構成要素を分解できるように構成することも可能だが、洗浄時の紛失や破損を避けるために、封止し分解できないように構成することもできる。
【００３９】
以下、本実施の形態１における試験片保持装置１００の構成について詳述する。まず、当該試験片保持装置１００で保持される試験片１０１は、約６ｍｍ×約３０ｍｍの短冊状の試験片であり、片面に測定対象となる呈色域を有している。これにより、前記試験片１０１では、イムノクロマト法、或いはラテックス凝集法を応用した染色法により、血液の成分や、病原菌の有無などを試験できる。また、試験片１０１には、長手方向の両側面に一対の切欠部１０１ａを有する。
【００４０】
前記基盤１０２は、約４０ｍｍ×約９０ｍｍの長方形状の剛体で形成されており、摺動ガイド１０７と、基準面１０６と、隙間部１１２と、摺動係止機構１１３と、排出ボタン１０４とを備えるものであり、前述した試験片１０１を保持する機能と、前記摺動可動部１０３を基盤１０２の長手方向に摺動させる機能と、該摺動可動部１０３を基盤１０２上の所定の位置で係止する機能を有する。
【００４１】
以下、基盤１０２の各構成要素について詳述する。前記摺動ガイド１０７は、前記基盤１０２の凹部の両側面に設けられており、前記摺動可動部１０３をガイドするものである。これにより、前記摺動可動部１０３は、前記基盤１０２に対する上下方向、短手方向の動きが規制され、長手方向にスムーズに摺動することができる。また前記摺動ガイド１０７は、前記摺動可動部１０３の下面と、前記基盤１０２の凹部上面との間に、試験片１０１を挿入して保持するための適切な空間ができる位置に設けられている。これにより、前記試験片１０１を、前記基盤１０２と前記摺動可動部１０３との間の空間の端面より挿入して、当該試験片保持装置１００中に収装して保持することができる。
【００４２】
また、前記基準面１０６は、前記基盤１０２の凹部上面、長手方向に設けられた、試験片１０１の厚みより高く、該試験片１０１の長さより長い板状の面であり、当該装置１００に前記試験片１０１を確実に保持するためのものである。
【００４３】
また、前記隙間部１１２は、前記基盤１０２の凹部上面、長手方向に設けられた２本の細長い穴であり、前記摺動係止機構１１３は、前記隙間部１１２を介して前記摺動可動部１０３と嵌合する２つの突起形状を有する係止部１１３ａを有し、該係止部１１３ａが、隙間部１１２により、摺動係止機構１１３の長手方向の摺動距離を規制することで、前記摺動可動部１０３を所定位置で係止させるストッパーの役割を果たすものである。
【００４４】
そして、前記基盤１０２の長手方向後方位置には、前記摺動可動部１０３を前記基盤に対し、該長手方向後方に付勢し前方への摺動動作を規制するための、コイルバネ等の第２の弾性体１１５が設けられている。これにより、ユーザーが摺動可動部１０３に対して力を加えないと、該摺動可動部１０３は移動しないため、前記試験片１０１が当該装置１００より誤って排出されるのを防止することができる。
【００４５】
前記排出ボタン１０４は、前記基盤１０２と前記摺動可動部１０３間で保持状態にある前記試験片１０１を、保持状態から解除状態に切り替えるためのものである。具体的には、前記排出ボタン１０４は、平面部１０４ｂと、該平面部１０４ｂに連結する柱形状の突起部１０４ａとを備えており、ユーザーが試験片１０１を排出する場合には、その平面部１０４ｂを基盤１０２内部方向に押圧する。これにより、前記突起部１０４ａが、前記基盤１０２の内部に設けられた突起部ガイド１１４に沿って上方向に移動して基盤１０２上にせり出し、該せり出した突起部１０４ａにより前記試験片１０１が一時的に係止され、該試験片１０１の排出を補助する。すなわち、前記排出ボタン１０４で解除状態に切替える前は、摺動可動部１０３を摺動移動させると、該摺動可動部１０３は前記保持状態を維持したまま前記試験片１０１を基盤１０２に対して摺動移動させることができ、前記排出ボタン１０４で解除状態に切替えた後は、前記基盤１０２上の突起部１０４ａにより、前記試験片１０１は基盤１０２上の所定位置で係止され、摺動可動部１０３を摺動移動させると該摺動可動部１０３のみ基盤１０２に対して摺動移動し、基盤１０２と摺動可動部１０３との間に収装されて保持状態にある前記試験片１０１を、当該装置１００から押し出すことができる。
【００４６】
なお、本実施の形態１では、前記排出ボタンの平面部１０４ｂが、前記基盤１０２の裏面、且つ、長手方向前方に配置されている。このように、前記排出ボタン１０４をユーザーが触れにくい位置に配置すれば、ユーザーによる排出ボタン１０４の誤操作を防止できると共に、ユーザーが前記排出ボタン１０４を片手で無理なく動作させることが可能となり、当該装置１００の使い勝手を向上できる効果もある。
【００４７】
さらに、本実施の形態１では、前記突起部ガイド１１４内に、前記排出ボタン１０４の動作を規制するコイルバネなどの弾性体１１６が配置されている。これにより、通常は突起部１０４ａが基盤１０２上面から出ないように規制されているため、ユーザーが意識的に排出ボタン１０４を押さない限り、排出ボタン１０４の突起部１０４ａが基盤１０２上にせりだすことがないようにでき、試験片１０１が誤って当該装置１００より排出されるのを防止することができる。
【００４８】
前述した構成要素に加え、前記基盤１０２には、前記試験片をセットする側の長手方向前方の端面に窪み部１０５が設けられ、該基盤１０２の長手方向のもう一方の一端側に持ち手部１０８が設けられている。
【００４９】
前記窪み部１０５は、当該試験片保持装置１００に保持された試験片１０１に対して検体を点着する際、該試験片保持装置１００に検体が付着することを回避するためのものである。このように、前記基盤１０２に窪み部１０５を設けるようにすれば、基盤１０２を清潔に保ち易くできるため、該基盤１０２の洗浄や除菌の手間を省くことが可能となり、当該装置１００の使い勝手を向上させることができる。
【００５０】
なお、本実施の形態１では、試験片１０１に指先から直接血液を点着する場合を一例に挙げ、前記窪み部１０５を、指先の形状と相似な形状である、半径８ｍｍ〜２０ｍｍの半円もしくは楕円形としている。もちろん、前記窪み部１０５は、必ずしも指先と相似な形状である必要はなく、例えば、前記試験片１０１に検体を器具を用いて点着する場合は、前記窪み部１０５の形状をその器具の形状に相似する形状にし、あるいは被験者の耳たぶから直接血液を点着する場合は、該窪み部１０５の形状を耳たぶの形状に相似する形状にすればよい。
【００５１】
前記持ち手部１０８は、前記基盤１０２を保持し易くするために、基盤１０２の短手方向の寸法を広げたものであり、本実施の形態１では、前記持ち手部１０８の短手方向の寸法を、成人の持ちやすい大きさである、約２０ｍｍ〜６０ｍｍとしている。また、この持ち手部１０８によって、当該試験片保持装置１００を図３に示すように測定装置４００の載置口４０１に挿入して測定する際に、前記試験片１０１を前記測定装置４００に対して正確に位置決めすることが可能となるため、測定結果の誤検出を防止できる効果が得られる。さらに、前記持ち手部１０８によって、該測定装置４００と当該試験片保持装置１００との隙間を確実にふさぐことが可能となるため、測定の際の外乱も防止することができる効果も得られる。
【００５２】
次に、前記摺動可動部１０３の構成は、板バネ等の第１の弾性体１１１がその内部に備えられてなるものであり、前記試験片１０１を短手方向に保持する機能と、測定後に前記試験片１０１をスライドさせて当該装置１００外部に排出する機能を有する。
【００５３】
前記第１の弾性体１１１は、図２に示すように、該弾性体１１１の本体に、鉤型形状を有する第１弾性部１１１ａと、半円形状を有する第２弾性部１１１ｂの、２つの弾性部を有するものである。
【００５４】
以下、図４を用いて、第１の弾性体１１１について詳述する。図４は、本実施の形態１の試験片保持装置における、基盤上の、第１の弾性体と、試験片と、該基盤上に設けられた基準面との関係を示す概略図であり、図（ａ）は試験片保持時の状態を示し、図（ｂ）は試験片排出時の状態を示している。
【００５５】
前記第１の弾性体１１１の第１弾性部１１１ａは、前記第１の弾性体１１１本体の中央付近に設けられており、図４（ａ）に示すように、試験片１０１を基盤１０２に対して押圧保持するために用いられる保持用弾性部である。具体的には、前記試験片１０１の保持状態時には、前記第１弾性部１１１ａが、前記試験片１０１の切り欠き部１０１ａに嵌合し、該第１弾性部１１１ａの鉤型の頂点で該試験片１０１の長手方向の一辺を押して、該試験片１０１の長手方向の他の一辺を基準面１０６に圧接させ、前記試験片１０１を確実に保持するようにする。
【００５６】
一方、前記第１の弾性体１１１の第２弾性部１１１ｂは、前記第１の弾性体１１１本体の先端に設けられており、図４（ｂ）に示すように、試験片１０１を付勢して当該装置１００から排出させるために用いられる排出用弾性部である。具体的には、前記試験片１０１を当該装置１００外部に排出する際に、該第２弾性部１１１ｂの半円の頂点で該試験片１０１の角を押すことで、前記試験片１０１の排出方向に力を付与し、該試験片１０１を基盤１０２から約１０ｃｍほど飛び出させ、当該装置１００より該試験片１０１が確実に排出するようにする。
【００５７】
このように、前記第１の弾性体１１１を摺動可動部１０３に備えるようにしたので、測定時には前記試験片１０１を装置１００内で確実に保持して、測定結果に誤差が生じないようにでき、また測定後には、ユーザーが該試験片１０１に触れなくとも、当該装置１００より試験片１０１を確実に排出し、ユーザーの安全性を確保することができる。
【００５８】
なお、本実施の形態１では、前記第１の弾性体１１１本体が、試験片保持機能を有する第１弾性部１１１ａと、試験片排出機能を有する第２弾性部１１１ｂの、２つの弾性部を備える構成にしたので、当該装置１００の組み立てが簡易となることに加え、コスト削減の効果も得られる。また、前記第１の弾性体１１１の第１の弾性部１１１ａと第２の弾性部１１１ｂとは、同じ側に、且つその間に間隔が設けて配置されているので、前記試験片１０１が当該装置１００内部で傾いて保持されることを防止できる。
【００５９】
また、前記摺動可動部１０３は、その長手方向の一端がコの字形状を有し、当該試験片保持装置１００に試験片１０１を保持した際、そのコの字形状部分の開口部に、試験片１０１の呈色域が露出するようになっている。そして、この開口部より、試験片１０１の上面に測定装置４００から光を照射して、前記呈色域の反応結果を測定したり、或いは前記呈色域を撮像したり、或いは前記試験片１０１に器具を接触させるようにしている。
【００６０】
さらに、前記摺動可動部１０３は、該摺動可動部１０３の平面部に対して、５ｍｍ〜２０ｍｍ程度突出している山型形状のスライド突起部１０９が設けられている。これにより、ユーザーの摺動可動部１０３を押す力をスライド方向に多く配分できるため、スライド時の摺動可動部１０３と基盤１０２間の摩擦力を低減して、当該装置１００の使い勝手及び磨耗による耐久性を改善できる。さらに、本実施の形態１では、前記スライド突起部１０９の曲線の形状を、指先形状とほぼ相似な形状とすることで、無理なくスライド方向に力を伝導できるようにしている。もちろん、前記スライド突起部１０９の曲線の形状は、前述した形状に限るものではなく、無理なくスライド方向に力を伝導できる形状であればどのようなものであってもよい。
【００６１】
そして、前記スライド突起部１０９の上面の一部には、０．５ｍｍ〜５ｍｍ程度のピッチで、Ｖ字形状、波型、或いは円柱の一部が露出した形状のローレット１１０が施されている。これにより、前記スライド突起部１０９のグリップ感が増し、よりスムーズ且つ確実に前記摺動可動部１０３をスライド移動させることができ、当該装置１００の使い勝手を向上することができる。なお、本実施の形態１では、図１〜３に示すように、前記ローレット１１０が、スライド突起部１０９の一部にのみに施されている場合を一例として挙げたが、ローレット１１０は摺動可動部１０３の上面全体に施されていてもよい。
【００６２】
次に、図５〜図８を用いて、本実施の形態１の試験片保持装置１００に試験片１０１をセットしてから排出するまでの動作を説明する。図５は、本実施の形態１の試験片保持装置に保持された試験片に、検体を点着する際の状態を示す模式図であり、図（ａ）は平面図、図（ｂ）はＡ−Ａ断面図である。また、図６は、本実施の形態１における試験片保持装置の、（ａ）試験片保持状態、（ｂ）可動部摺動状態、（ｃ）排出ボタン可動状態、（ｄ）試験片排出状態を示す斜視図であり、図７は、図６の（ａ）〜（ｄ）の各状態の断面図である。さらに、図８は、試験片を廃棄する状態を示す図である。
【００６３】
まず、ユーザーは、試験片１０１を、基盤１０２と摺動可動部１０３との間に挿入して、該試験片１０１を当該試験片保持装置１００にセットする。このとき、ユーザーは、前記試験片１０１の切欠部１０１ａが、前記第１の弾性体１１１の第１弾性部１１１ａに嵌合されるまで押し込む。試験片１０１が保持された試験片保持装置１００の状態を、図６（ａ），図７（ａ）に示す。なお、前記試験片１０１を当該装置１００にセットする際、前記スライド突起部１０９を指で長手方向前方に押して、摺動ガイド１０７に沿って摺動可動部１０３を前方にスライド移動させた状態にしてから、該摺動可動部１０３と前記基盤１０２との間に前記試験片１０１を挿入するようにしてもよい。このようにすれば、前記第１弾性部１１１ａが、基盤１０２の前方に位置することとなるため、該第１弾性部１１１ａと切欠部１０１ａとが嵌合されやすく、この結果、試験片１０１をセットしやすいという効果が得られる。
【００６４】
以上のようにして前記試験片１０１を基盤１０２と摺動可動部１０３との間に保持した後、該保持された試験片１０１に対して、血液などの検体を点着する。この際、まずユーザーは、図６（ｂ），図７（ｂ）に示すように、摺動可動部１０３を、前記スライド突起部１０９を前方に押すことで、基盤１０２の長手方向前方に摺動ガイド１０７に沿ってスライド移動させ、前記試験片１０１を基盤１０２からせり出させる。そして、この基盤１０２からせり出した位置にある試験片１０１に対して、図５に示すように、被験者の指先６００から直接、血液を点着する。この後、該せり出させた状態にある試験片１０１を、摺動可動部１０３を基盤１０２の長手方向後方にスライド移動させて、図６（ａ），図７（ａ）に示す保持状態に戻す。このように前記試験片１０１が保持状態にあるときには、図６（ａ）に示されるように、前記試験片１０１は、摺動可動部１０３と基盤１０２との間に挿入されて、当該装置１００に収装されているため、ユーザーが試験片１０１に触れることが出来ない状態となっている。このようにすることで、前記試験片１０１に点着された被検査溶液が危険性のあるものであったとしても、ユーザーの安全を確保することができる。
【００６５】
この後、試験片保持状態にある試験片保持装置１００を、図３に示すように測定装置４００に挿入し、測定結果を得る。前記測定装置４００は、前記試験片保持装置１００が挿入されると、前述したように前記試験片１０１の上面に光を照射して試験片１０１の呈色域の反応結果を測定したり、或いは該呈色域を撮像したり、或いは前記試験片１０１に器具を接触させて、測定結果を得る。そして、前記測定装置４００による測定が終了後、測定装置４００から排出された試験片保持装置１００は、図６（ａ），図７（ａ）に示す、前記試験片保持状態を維持したまま、測定装置４００から取り出される。
【００６６】
この後、当該試験片保持装置１００から、使用済みの試験片１０１を排出する。まず、摺動可動部１０３のスライド突起部１０９を指で長手方向前方に押し、摺動可動部１０３を基盤１０２上に設けた摺動ガイド１０７に沿ってスライドさせる。このとき、前記摺動可動部１０３の第１の弾性体１１１に保持されている試験片１０１も、摺動可動部１０３のスライド動作に合わせて、基盤１０２上の長手方向前方にスライド移動する。このスライド移動により、前記摺動可動部１０３は、図７（ｂ）に示されるように、隙間部１１２により摺動係止機構１１３が係止される位置である所定位置まで移動し、前記試験片１０１は、図６（ｂ）に示すように、当該装置１００よりせり出す。
【００６７】
このように、前記摺動可動部１０３を所定位置までスライドさせた後、ユーザーは、当該装置１００の底面に設けられた排出ボタン１０４を基盤１０２の内部方向に押しこむ。この結果、図６（ｃ），図７（ｃ）に示されるように、基盤１０２上に、排出ボタン１０４の突起部１０４ａがせりだして、前記排出ボタン１０４の突起部１０４ａと試験片１０１の一辺とが接触し、試験片１０１を、そのせり出した位置で係止させることができる。
【００６８】
この後、前記突起部１０４ａにより試験片１０１を係止させた状態のまま、摺動可動部１０３を長手方向後方に戻し、図６（ｄ），図７（ｄ）に示すように、摺動可動部１０３のみ移動させる。このとき、試験片１０１は、突起部１０４ａにより係止されていて移動できないため、前記摺動可動部１０３の移動に伴って、前記試験片１０１の第１の弾性体１１１の第１弾性部１１１ａによる保持が解除され、該試験片１０１は前記摺動可動部１０３から相対的に押し出された状態となる。具体的には、試験片１０１が突起部１０４ａに係止された状態で、摺動可動部１０３のみを長手方向後方にスライド移動させていくと、まず試験片１０１の切欠部１０１ａと嵌合状態にある第１の弾性体１１１の第１弾性部１１１ａがはずれて、試験片１０１の保持状態が解除される。そしてさらに前記摺動可動部１０３を長手方向後方にスライド移動させると、第２弾性部１１１ｂが試験片１０１の側面に接しながら移動していき、最終的に、該第２弾性部１１１ｂが試験片１０１の角に当たると（図４（ｂ）参照）、該第２弾性部１１１ｂが試験片１０１を押して、該試験片１０１が当該試験片保持装置１００より飛び出すように排出される。
【００６９】
従って、試験片保持装置１００の前述した測定後の試験片排出動作を、図８に示すように、廃棄箱５００上で、該試験片保持装置１００の持ち手部１０８を持って地面と水平、あるいは水平より下方向に維持しながら行なえば、ユーザが前記試験片１０１にふれなくても、該試験片１０１を、当該試験片保持装置１００から半自動的に排出して廃棄することができる。
【００７０】
以上のように、本実施の形態１の試験片保持装置１００によれば、長方形状の基盤１０２と、該基盤１０２上に長手方向に摺動可能に設けられた摺動可動部１０３と、該摺動可動部１０３の所定位置にて前記試験片１０１を保持するよう、前記基盤１０２に対し押圧保持する第１の弾性体１１１とを備え、前記基盤１０２と前記摺動可動部１０３との間で保持状態にある試験片１０１を、摺動可動部１０３を長手方向に摺動移動させることで、該試験片１０１の保持状態を解除し、当該装置１００より試験片１０１を排出するようにしたので、ユーザが試験片１０１に直接触れることなく、該試験片１０１を試験片保持装置１００から簡便且つ安全に排出して廃棄することができる。この構成は、特に当該試験片１０１に点着する被検査溶液が、血液や菌、その他の有害な物質を含む場合に、ユーザーの安全性を確保できて、有用である。
【００７１】
また、前記基盤１０２に、試験片１０１の保持状態を解除状態に切り替えるための排出ボタン１０４を備え、試験片１０１を排出する際には、前記排出ボタン１０４を解除状態に切り替えて、突起部１０４ａを基盤１０２上にせり出させ、前記摺動可動部１０３と共に長手方向前方に移動した試験片１０１を基盤１０２上の所定位置で係止し、さらに前記摺動可動部１０３を長手方向後方に摺動移動されると、前記摺動可動部１０３による前記保持状態を解除し、前記試験片１０１を当該装置１００より排出するようにしたので、ユーザーが試験片の排出を選択したときのみ、該試験片１０１を試験片保持装置１００から簡便且つ安全に排出して廃棄し、ユーザーが試験片１０１の排出を選択しなかった場合には、前記摺動可動部１０３に保持された状態のまま前記試験片を１０１を長手方向前後に移動させることが可能となる。この結果、通常時には前記試験片１０１を、前記摺動可動部１０３と基盤１０２との間に収装して、ユーザーが直接触れることの出来ない状態を維持させ、必要なときだけ試験片１０１をユーザーが触れることが可能な位置にスライド移動させることができ、ユーザーの安全性を更に確保することができる。
【００７２】
さらに、本実施の形態１によれば、摺動係止機構１１３を第２の弾性体１１５を介して基盤１０２と連結するようにしたので、前記摺動可動部１０３はユーザーが力を加えなければ基盤１０２上の所定位置に保持されるため、前記試験片１０１が誤って排出されるのを防止することができる。
【００７３】
また、前記摺動可動部１０３に、鉤型形状を有する第１弾性部１１１ａと、半円形状を有する第２弾性部１１１ｂとの、２つの弾性部からなる第１の弾性体１１１を備えるようにしたので、前記第１弾性部１１１ａにより試験片１０１を当該装置１００内に確実に保持することができると共に、前記第２弾性部１１１ｂにより、該試験片１０１の排出を促して、ユーザーが該試験片１０１に触れなくとも確実に当該装置１００より排出させることができる。
【００７４】
なお、本実施の形態１では、前記第１の弾性体１１１が板バネで構成される場合を一例に挙げたが、該第１の弾性体１１１を、コイルばねと突起機構とで構成したり、あるいは樹脂の特性を利用したいわゆる樹脂ばねで構成するようにしてもよい。また、本実施の形態１では、前記第１の弾性体１１１の第２弾性部１１１ｂの形状が半円形状である場合を一例に挙げたが、前記試験片１０１ａと当接する部分が曲線であればよく、例えば、鋭角の頂点の曲率を大きくとった形状であってもよい。さらに、前記第２弾性部１１１ｂの前記試験片１０１に対して付勢する力は、前記試験片１０１の重量、形状などを考慮して決定すればよく、該試験片１０１が当該装置１００より数ｃｍから数１０ｃｍ程度飛び出す力で付勢するのがより好ましい。
【００７５】
また、本実施の形態１では、前記排出ボタン１０４の突起部１０４ａが柱形状を有するものとして説明したが、その形状はどのようなものであってもよい。ただ、前記突起部１０４ａの試験片１０１と接触する部位に、該接触部位が平面となる部分を持つ形状であることがより好ましい。このようにすれば、前記試験片１０１をより確実に所定の位置に係止して、排出動作の誤動作を防止できる。
【００７６】
さらに、前記排出ボタン１０４の突起部１０４ａの基盤１０２上面から見える部位を、三角或いは矢印形状とし、前記試験片１０１を挿入する方向を示すようにすれば、前述した効果のほかに、ユーザーに対して、試験片１０１の挿入方向を明示できるため、より好ましい。
【００７７】
なお、本実施の形態１では、基盤１０２が長方形状であるものとしたが、これに限るものではなく、例えば、台形、一部に曲線を含む形状、楕円形状、三角形状など、その形状はどのようなものであってもよい。そして前記基盤がどのような形状であっても、前述の構成と同様、前記基盤１０２上に前記摺動可動部１０３を設け、前記試験片を保持する場合は、試験片１０１を前記基盤１０２と摺動可動部１０３との間に挿入して保持し、一方、排出する場合は、前記摺動可動部１０３を前記基盤１０２に対して前記挿入方向に対して平行に摺動させることで、該基盤１０２と摺動可動部１０３との間の試験片の保持状態を解除し排出する。
【００７８】
（実施の形態２）
前記実施の形態１では、基盤上に設けられた摺動可動部をスライド移動させて、該基盤と摺動可動部間で保持状態にある試験片を、試験片保持装置より排出するものとしたが、本実施の形態２では、可動部の回動動作により、基盤上で保持状態にある試験片を試験片保持装置より排出するものである。
【００７９】
以下、本実施の形態２の試験片保持装置について説明する。
図９は、本発明の実施の形態２における試験片保持装置の構成を示す図であり、図（ａ）は平面斜視図であり、図（ｂ）は断面図である。また、図１０は、本実施の形態２における試験片保持装置の分解斜視図である。
【００８０】
図に示すように、本実施の形態２の試験片保持装置２００は、その上面に凹部を備える長方形状の基盤２０２と、該基盤２０２に設けられた軸受け２１７に、軸２０７が嵌合することで回動可能に保持される回動可動部２０３とを備え、前記試験片１０１の測定時には、前記基盤２０２と回動可動部２０３との間に試験片１０１を確実に保持し、測定後には、前記基盤２０２に対して前記回動可動部２０３を上方に回動動作させて、該試験片１０１を当該試験片保持装置２００から半自動的に排出するものである。なお、本実施の形態２の試験片保持装置２００の構成材料は、前記実施の形態１と同様であるため、説明を省略する。
【００８１】
以下、本実施の形態２における試験片保持装置２００の構成について詳述する。本実施の形態２の装置２００で保持する試験片１０１は、前記実施の形態１と同様のものである。
【００８２】
前記基盤２０２は、約４０ｍｍ×約９０ｍｍの長方形状の剛体で形成されており、基準面２０６と、前記回動可動部２０３を基盤２０２上で回動させるための凹状の逃げ２０９と、前記試験片１０１を前記回動可動部２０３と前記基盤２０２との間に固定保持するよう、前記試験片１０１を基盤２０２上の基準面２０６に圧接させることで押圧保持するための第３の弾性体２１１と、前記回動可動部２０３の前記基盤２０２に対する上方への回動動作を規制する第４の弾性体２１５と、前記回動可動部２０３の軸２０７を受ける軸受け２１７とを備え、前記試験片を保持する機能と、前記回動可動部２０３を回動させる機能とを有する。なお、前記第３の弾性体２１１は、スペース、コストの面から、板ばね、或いは樹脂ばね形状がもっとも好ましく、前記第４の弾性体２１５は、スペース、コスト、強度の面から板ばね、或いは樹脂ばねを用いるのが最も好ましい。
【００８３】
さらに、前記基盤２０２には、前記実施の形態１と同様、前記試験片１０１をセットする側の長手方向前方の端面に窪み部２０５が設けられ、該基盤２０２の長手方向のもう一方の一端側に持ち手部２０８が設けられている。これらの形状、構成、及びこれらを基盤２０２に設けた効果については、前記実施の形態１と同様であるため、ここでは説明を省略する。
【００８４】
次に、前記回動可動部２０３は、前記基盤２０２と前記回動可動部２０３間における試験片１０１の保持状態を解除状態に切り替えるための排出ボタン２０４と一体に形成され、さらに、該回動可動部２０３を前記基盤２０２に対して回動させるための軸２０７と、前記試験片１０１を基盤２０２から引き離すためのアーム２１０とを備え、測定後に前記試験片１０１の保持を解除して、当該装置２００外部に排出する機能を有する。
【００８５】
以下、前記回動可動部２０３の各構成要素について詳述する。
前記排出ボタン２０４は、前記回動可動部２０３の軸２０７を挟んで、試験片１０１をセットする側とは反対側の長手方向後方に配置されている。そして、前記排出ボタン２０４の下の基盤２０２上には、凹状の逃げ２０９が設けられているため、該排出ボタン２０４を下に押せば、軸２０７を中心に該排出ボタン２０４が前記逃げ２０９部分に入り込み、この結果、前記回動可動部２０３を軸２０７を中心に基盤２０２に対して上方向に回動させることができる。なお、本実施の形態２では、前記回動可動部２０３が前記基盤２０２に対して水平位置から約４５度の位置まで回転できるものとする。
【００８６】
さらに、本実施の形態２では、前記排出ボタン２０４の下の逃げ２０９の部分に、前記回動可動部２０３を前記基盤２０２に対する上方への回動動作を規制する板ばね等の第４の弾性体２１５が配置され、該第４の弾性体２１５によって、その回動可動部２０３の回動動作を規制している。従って、通常状態では、前記回動可動部２０３が、基盤２０２上の試験片１０１を覆う姿勢をとる。
【００８７】
前記アーム２１０は、図９（ｂ）に示されるように、回動可動部２０３の底面で、前記試験片１０１を基盤２０２と回動可動部２０３との間に保持した際に、該試験片１０１の一端を保持可能な位置に配置されており、前記回動可動部２０３が上部に移動されると、該試験片１０１を持ち上げて、該試験片１０１の排出を促すものである。
【００８８】
また、前記回動可動部２０３は、前記実施の形態１と同様、その長手方向前方が、コの字形状となっており、当該試験片保持装置２００に試験片１０１を保持した際、そのコの字形状部分間の開口部に、試験片１０１の呈色域が露出するようになっている。そして、この開口部より、試験片１０１の上面に測定装置４００から光を照射して、前記呈色域の反応結果を測定したり、或いは前記呈色域を撮像したり、或いは前記試験片１０１に器具を接触させるようにしている。
【００８９】
そして、前記回動可動部２０３の下面と前記基盤２０２の上面との間には、前記試験片１０１を挿入し保持するための適切な空間が設けられており、前記アーム２１０は、この空間の後方位置に設けられている。さらに、本実施の形態２では、前記回動可動部２０３の下面と前記基盤２０２の上面との間の空間に前記試験片１０１を挿入する際、該試験片１０１を前記空間の後方位置にあるアーム２１０までスムーズに挿入させるために、該空間の端面部分、すわなち前記回動可動部２０３のコの字形状となった部分の両内側の底面に、ガイド２１２が設けられている。
【００９０】
次に、図１１〜図１３を用いて、本実施の形態２の試験片保持装置２００に試験片１０１をセットしてから排出するまでの動作を説明する。図１１は、本実施の形態２における試験片保持装置の、（ａ）試験片保持状態、（ｂ）試験片保持解除状態を示す斜視図であり、図１２は、図１１の（ａ）〜（ｂ）の各状態の断面図である。さらに、図１３は、試験片を廃棄する状態を示す図である。
【００９１】
まず、ユーザーは、試験片１０１を、該回動可動部２０３のガイド２１２に沿って、基盤２０２と回動可動部２０３との間に挿入して、該試験片１０１を当該試験片保持装置２００にセットする。このとき、ユーザーは、前記試験片１０１の切欠部１０１ａが、前記第３の弾性体２１１に嵌合されるまで押し込む。これにより、前記試験片１０１は、該第３の弾性体２１１によって、変形しない程度に基準面２０６に押し当てられ、基盤２０２に試験片が確実に保持される。試験片１０１が保持された試験片保持装置２００の状態を、図１１（ａ），図１２（ａ）に示す。
【００９２】
以上のようにして前記試験片１０１を基盤２０２と回動可動部２０３との間に保持した後、該保持された試験片１０１に対して、血液などの検体を点着する。本実施の形態２では、前記実施の形態１と同様、前記基盤２０２には窪み部２０５が設けられているため、点着時に、当該試験片保持装置２００に検体が付着することを回避することができ、この結果、基盤２０２を清潔に保ち易く、洗浄や除菌の手間を省くことが可能となるため、当該装置２００の使い勝手を向上できる。
【００９３】
この後、試験片保持状態にある試験片保持装置２００を、図３に示すように測定装置４００に挿入し、測定結果を得る。前記測定装置４００は、前記試験片保持装置２００が挿入されると、前述したように前記試験片１０１の上面に光を照射して試験片１０１の呈色域の反応結果を測定したり、或いは該呈色域を撮像したり、或いは前記試験片１０１に器具を接触させて、測定結果を得る。そして、前記測定装置４００による測定が終了後、該測定装置４００から排出された試験片保持装置２００は、図１１（ａ），図１２（ａ）に示すように、前記試験片保持状態を維持したまま、測定装置４００から取り出される。
【００９４】
この後、当該試験片保持装置２００から、使用済みの試験片１０１を排出する。まず、回動可動部２０３の排出ボタン２０４を下方向に押し、回動可動部２０３を基盤２０２に対して上方に回動動作させる。この動作に伴って、図１１（ｂ），図１２（ｂ）に示すように、前記回動可動部２０３に設けられたアーム２１０が、前記試験片１０１を持ち上げ、該試験片１０１を基盤２０２から外し、試験片保持装置２００から排出する。排出後、前記排出ボタン２０４から手を離せば、該排出ボタン２０４の下に設けられた第４の弾性体２１５により、該回動可動部２０３及び排出ボタン２０４が通常状態に戻る。
【００９５】
従って、試験片保持装置２００の前述した測定後の試験片排出動作を、図１３に示すように、廃棄箱５００上で、該試験片保持装置２００の持ち手部２０８を持って、地面と水平より下方向に維持しながら行なえば、ユーザが前記試験片１０１にふれなくても、該試験片１０１を、当該試験片保持装置２００から半自動的に排出して廃棄することができる。
【００９６】
以上のように、本実施の形態２の試験片保持装置２００によれば、基盤２０２と、該基盤２０２上に回動可動部２０３、該基盤２０２の所定位置に試験片１０１を押圧保持する第３の弾性体２１１とを備え、前記回動可動部２０３と前記基盤２０２との間で、前記第３の弾性体２１１により保持された状態にある試験片１０１を、該回動可動部２０３を基盤２０２に対して上方に回転動作させて、該保持状態を解除し、前記試験片１０１を排出するようにしたので、ユーザーが前記試験片１０１に直接触れることなく、該試験片１０１を試験片保持装置２００から簡便且つ安全に排出し廃棄することができる。
【００９７】
さらに、本実施の形態２によれば、排出ボタン２０４の下に、回動可動部２０３の前記基盤２０２に対する上方への回動動作を規制する第４の弾性体２１５を設けるようにしたので、ユーザーが力を加えなければ、回動可動部２０３が回動動作を行なわないようにでき、前記試験片１０１が誤って排出されるのを防止することができる。
【００９８】
さらに、本実施の形態２では、前記基盤２０２上に、試験片１０１を基盤２０２上に設けられた基準面２０６に押しつけ、該試験片１０１を押圧保持する第３の弾性体２１１を備えるようにしたので、試験片１０１を当該装置２００内に確実に保持することができる。
【００９９】
なお、本実施の形態２では、基盤２０２が長方形状であるものとしたが、これに限るものではなく、例えば、台形、一部に曲線を含む形状、楕円形状、三角形状など、その形状はどのようなものであってもよい。
【０１００】
（実施の形態３）
前記実施の形態では、前記基盤上に設けられた摺動可動部をスライド移動させたり、回動可動部を回動動作させたりすることで、保持状態にある試験片を試験片保持装置より排出するものとしたが、本実施の形態３では、排出ボタンを基盤上で摺動可能である構成とし、該排出ボタンの基盤に対する摺動動作により、前記試験片を当該装置より排出するものである。
【０１０１】
以下、本発明の実施の形態３の試験片保持装置について説明する。
図１４は、本発明の実施の形態３における試験片保持装置の構成を示す概略図であり、図（ａ）は平面図であり、図（ｂ）は図（ａ）のＡ−Ａ断面図である。
【０１０２】
図に示すように、本実施の形態３の試験片保持装置３００は、基盤下部３０２ａと、基盤上部３０２ｂとからなる長方形状の基盤３０２と、該基盤上部３０２ｂに、該基盤３０２の長手方向に摺動可能な摺動可動部である排出ボタン３０４とを備え、前記試験片１０１の測定時には、前記基盤３０２中に試験片１０１を固定保持し、測定後には、排出ボタン３０４を前記基盤３０２に対して摺動移動させることで、該試験片１０１の保持状態を解除し、該試験片１０１を当該試験片保持装置３００から半自動的に排出するものである。なお、本実施の形態３の試験片保持装置３００の構成材料は、前記実施の形態１で説明したものと同様であるため、説明を省略する。
【０１０３】
以下、本実施の形態３における試験片保持装置３００の構成について詳述する。本実施の形態３の装置３００で保持する試験片１０１は、前記実施の形態１と同様のものである。
【０１０４】
前記基盤３０２は、長方形状の剛体で形成されており、該基盤下部３０２ａ上に基盤上部３０２ｂが固定され、該基盤上部３０２ｂに設けられた排出ボタン３０４が、該基盤上部３０２ｂの上面に設けられた排出ボタンガイド３１４に沿って長手方向に摺動動作する。
【０１０５】
さらに前記基盤上部３０２ｂには、前記試験片１０１の切欠部１０１ａと嵌合し、前記基盤３０２中の所定位置にて前記試験片１０１を固定保持する、板バネなどの第５の弾性体３１１が設けられており、前記基盤上部３０２ｂと前記基盤下部３０２ａとの間に挿入された前記試験片１０１は、該第５の弾性体３１１により、その短手方向を挟むようにして保持される。詳述すると、前記基盤上部３０２ｂの下面と前記基盤下部３０２ａの上面との間には、前記試験片１０１を挿入し保持するための空間が設けられており、該空間の端面から前記試験片１０１を挿入し、挿入された試験片は、この空間の後方位置に設けられている前記第５の弾性体３１１により保持される。
【０１０６】
また、前記基盤上部３０２ｂは、前記実施の形態１と同様、前記試験片１０１をセットする側である長手方向前方が、コの字形状となっており、当該試験片保持装置３００に試験片１０１を保持した際、そのコの字形状部分間の開口部に、試験片１０１の呈色域が露出するようになっている。そして、この開口部より、試験片１０１の上面に測定装置４００から光を照射して、前記呈色域の反応結果を測定したり、或いは前記呈色域を撮像したり、或いは前記試験片１０１に器具を接触させるようにしている。
【０１０７】
前述した排出ボタン３０４は、平面部３０４ｂと、該平面部３０４ｂに連結するＬ字形状の突起部３０４ａとからなり、前基盤上部３０２ｂの長手方向後方に設けられる。そして、当該装置３００より前記試験片１０１を排出する場合は、前記排出ボタンガイド３１４に沿って、前記排出ボタン３０４を前記基盤３０２中で長手方向前方に摺動動作させることで、前記試験片１０１の保持状態を解除し、当該装置３００より試験片１０１を排出するものである。具体的に述べると、前記試験片１０１を当該装置３００より排出する際には、前記排出ボタン３０４を長手方向前方に摺動させて、該突起部３０４ａの先端を前記試験片１０１に接触させ、その状態のまま前記排出ボタン３０４を更に長手方向前方に摺動動作させることで、該試験片１０１を排出する。
【０１０８】
そして、前記排出ボタン３０４の突起部３０４ａは、前記試験片１０１を当該装置３００に取り付ける際の妨害となってはいけないので、基盤３０２中を往復運動できるものとし、さらに誤動作防止のため、該排出ボタン３０４を基盤３０２とコイルバネなどの第６の弾性体３１５で連結して、その摺動動作を規制することで、ユーザーが排出ボタン３０４の平面部３０４ｂに対して力を加えなければ摺動動作を行なわないようにするのが望ましい。
【０１０９】
なお、本実施の形態３では、前記排出ボタン３０４の平面部３０４ｂ、及び排出ボタンガイド３１４が、前記基盤上部３０２ｂの上面に設けられるものとしたが、前記排出ボタン３０４の突起部３０４ａが試験片１０１と接触可能な位置に配置されれば、前記排出ボタン３０４の平面部３０４ｂと前記排出ボタンガイド３１４は、いずれに設けてもよく、例えば、排出ボタン３０４の平面部３０４ｂと前記排出ボタンガイド３１４とを、基盤３０２の側面あるいは基盤下部３０２ａの底面に設けるようにしてもよい。そして前記排出ボタン３０４の平面部３０４ｂを、ユーザーが触れにくい位置に配置すれば、ユーザーによる排出ボタン３０４の誤操作を防止でき、試験片１０１が誤って排出されるのを防止することが可能となる。
【０１１０】
次に、図１５を用いて、本実施の形態３の試験片保持装置３００に試験片１０１をセットしてから排出するまでの動作を説明する。図１５は、本実施の形態３における試験片保持装置の、（ａ）試験片保持状態、（ｂ）排出ボタン摺動状態を示す断面図であり、図１６は、試験片を廃棄する状態を示す図である。
【０１１１】
まず、ユーザーは、試験片１０１を、該基盤下部３０２ａと基盤上部３０２ｂとの間に挿入し、当該試験片保持装置３００にセットする。このとき、ユーザーは、前記試験片１０１の切欠部１０１ａが、前記第５の弾性体３１１に嵌合されるまで押し込む。これにより、前記試験片１０１は、該第５の弾性体３１１によって短手方向に挟まれ、基盤３０２中に試験片１０１が保持される。試験片１０１が保持された試験片保持装置３００の状態を、図１５（ａ）に示す。
【０１１２】
以上のようにして前記試験片１０１を基盤３０２中に保持した後、該保持された試験片１０１に対して、血液などの検体を点着する。
【０１１３】
この後、試験片保持状態にある試験片保持装置３００を、図３に示すように測定装置４００に挿入し、測定結果を得る。前記測定装置４００は、前記試験片保持装置３００が挿入されると、前述したように前記試験片１０１の上面に光を照射して試験片１０１の呈色域の反応結果を測定したり、或いは該呈色域を撮像したり、或いは前記試験片１０１に器具を接触させて、測定結果を得る。そして、前記測定装置４００による測定が終了後、測定装置４００から排出された試験片保持装置３００は、図１５（ａ）に示す試験片保持状態を維持したまま、測定装置４００から取り出される。
【０１１４】
この後、当該試験片保持装置３００から、使用済みの試験片１０１を排出する。まず、排出ボタン３０４は、通常状態ではその突出部３０４ａが試験片１０１と接触することないよう第６の弾性体３１５の弾性力により所定位置に保持されているので、ユーザーは前記排出ボタン３０４の平面部３０４ｂに力を加え、該排出ボタン３０４を排出ボタンガイド３１４に沿って、長手方向前方にスライド移動させる。これにより、前記排出ボタン３０４の突起部３０４ａが、基盤３０２中を長手方向前方にスライド移動し、前記試験片１０１の一端と該突出部３０４ａの先端が接触する。その状態のまま、図１５（ｂ）に示すように、前記排出ボタン３０４の平面部３０４ｂを長手方向前方に更にスライド移動させると、突出部３０４ａが該基盤３０２中に保持された試験片１０１を後方から押すこととなる。この動作により、前記第５の弾性体３１１による試験片１０１の保持状態が解除され、試験片１０１を当該装置３００より排出できる。排出後は、ユーザーが前記排出ボタン３０４の平面部３０４ｂから手を離せば、該排出ボタン３０４に連結された第６の弾性体３１５の弾性力により、前記排出ボタン３０４が排出ボタンガイド３１４に沿って、元の所定位置まで移動する。
【０１１５】
従って、試験片保持装置３００の前述した測定後の試験片排出動作を、図１６に示すように、廃棄箱５００上で、該試験片保持装置３００を、地面と水平より下方向に維持しながら行なえば、ユーザーが前記試験片１０１に直接触れなくても、当該試験片保持装置３００から半自動的に排出して廃棄することができる。
【０１１６】
以上のように、本実施の形態３の試験片保持装置３００によれば、基盤３０２と、該基盤３０２中の所定位置にて、前記試験片１０１を固定保持する第５の弾性体３１１と、該基盤３０２中を長手方向に摺動移動可能な排出ボタン３０４とを備え、前記基盤３０２中にで第５の弾性体３１１によって保持状態にある試験片１０１を、前記排出ボタン３０４を長手方向前方に摺動移動させることで、該保持状態を解除し、前記試験片１０１を当該装置３００から排出するようにしたので、ユーザーが前記試験片１０１に直接触れることなく、該試験片１０１を試験片保持装置３００から簡便且つ安全に排出し廃棄することができる。
【０１１７】
また、本実施の形態３においては、前記基盤３０２中の長手方向後方位置に、前記排出ボタン３０４を前記基盤３０２に対し、該長手方向後方に付勢し前方への摺動動作を規制する第６の弾性体３１５を設けたので、試験片保持状態時に、試験片１０１と排出ボタン３０４の突起部３０４ａとが接触しないようにでき、前記試験片１０１が誤って排出されるのを防止することができる。
【０１１８】
なお、本実施の形態３では、前記排出ボタン３０４を長手方向前方に摺動させて、試験片１０１と接触させ、該試験片１０１の基盤３０２中の保持状態が解除されるまで押しだし排出するものとしたが、必ずしもこの方法に限るものではなく、例えば、前記排出ボタン３０４に回動動作する機構を設け、該排出ボタン３０４と連動したアームを試験片１０１に接触させて、該試験片１０１の基盤３０２中の保持状態が解除されるまで押しだすような構成にしても、本発明と同等の効果を得られる。
【０１１９】
さらに、本実施の形態３では、前記第５の弾性体３１１が基盤上部３０２ｂに設けられ、試験片１０１が基盤上部３０２ｂの所定位置に保持されているものとしたが、前記第５の弾性体３１１は基盤上部３０２ｂに設けられている必要はなく、該第５の弾性体を基盤下部３０２ａに設け、試験片１０１が基盤下部３０２ａの所定位置に保持されていても、本発明と同等の効果を得られる。
【０１２０】
なお、本実施の形態３においても、前記実施の形態１と同様、前記基盤３０２の前記試験片１０１をセットする側の長手方向前方の端面に窪み部２０５を設け、また、該基盤３０２の長手方向のもう一方の一端側に持ち手部２０８が設けるようにしてもよく、このようにすれば、前記実施の形態１と同様の効果が得られる。
【０１２１】
また、本実施の形態３では、基盤３０２が長方形状であるものとしたが、これに限るものではなく、例えば、台形、一部に曲線を含む形状、楕円形状、三角形状など、その形状はどのようなものであってもよい。
【産業上の利用可能性】
【０１２２】
本発明にかかる試験片保持装置は、特に検体が血液や血漿など、感染の恐れのある検体を測定するものとし有用である。
【図面の簡単な説明】
【０１２３】
【図１】本発明の実施の形態１における試験片保持装置構成を示す図であり、図（ａ）は平面斜視図、図（ｂ）は底面斜視図、図（ｃ）は断面図である。
【図２】本発明の実施の形態１における試験片保持装置の構成を示す分解斜視図である。
【図３】本発明の試験片保持装置を、測定装置にセットする状態を示す図である。
【図４】本発明の実施の形態１における試験片保持装置の、第１の弾性体と、基準面と、試験片との関係を示す図であり、図（ａ）は試験片保持状態を示し、図（ｂ）は試験片排出状態を示す。
【図５】本発明の試験片保持装置に保持された試験片に対し検体を点着する状態を示す図であり、図（ａ）は平面図、図（ｂ）は断面図である。
【図６】本発明の実施の形態１における試験片保持装置の、（ａ）試験片保持状態、（ｂ）可動部摺動状態、（ｃ）排出ボタン可動状態、（ｄ）試験片排出状態を示す斜視図である。
【図７】本発明の実施の形態１における試験片保持装置の、（ａ）試験片保持状態、（ｂ）可動部摺動状態、（ｃ）排出ボタン可動状態、（ｄ）試験片排出状態を示す断面図である。
【図８】本発明の実施の形態１における試験片保持装置から、試験片を廃棄する状態を示す図である。
【図９】本発明の実施の形態２における試験片保持装置の構成を示す図であり、図（ａ）は平面斜視図であり、図（ｂ）は断面図である。
【図１０】本発明の実施の形態２における試験片保持装置の分解斜視図である。
【図１１】本発明の実施の形態２における試験片保持装置の、（ａ）試験片保持状態、（ｂ）試験片保持解除状態を示す斜視図である。
【図１２】本発明の実施の形態２における試験片保持装置の、（ａ）試験片保持状態、（ｂ）試験片保持解除状態を示す断面図である。
【図１３】本発明の実施の形態２における試験片保持装置から、試験片を廃棄する状態を示す図である。
【図１４】本発明の実施の形態３における試験片保持装置の構成を示す概略図であり、図（ａ）は平面図であり、図（ｂ）はＡ−Ａ断面図である。
【図１５】本発明の実施の形態３における試験片保持装置の、（ａ）試験片保持状態、（ｂ）排出ボタン摺動状態を示す断面図である。
【図１６】本発明の実施の形態３における試験片保持装置から、試験片を廃棄する状態を示す図である。
【図１７】従来例における試験片保持装置試験片の構成を示す斜視図である。
【符号の説明】
【０１２４】
１００，２００，３００  試験片保持装置
１０１  試験片
１０１ａ  切欠部
１０２，２０２，３０２  基盤
１０３  摺動可動部
１０４，２０４，３０４  排出ボタン
１０４ａ，３０４ａ  突起部
１０４ｂ，３０４ｂ  平面部
１０５，２０５  窪み部
１０６，２０６  基準面
１０７  摺動ガイド
１０８，２０８  持ち手部
１０９  スライド突起部
１１０  ローレット
１１１  第１の弾性体
１１１ａ  第１弾性部
１１１ｂ  第２弾性部
１１２  隙間部
１１３  摺動係止機構
１１３ａ  係止部
１１４  突起部ガイド
１１５  第２の弾性体
１１６  弾性体
２０３  回動可動部
２０７  軸
２０９  逃げ
２１０  アーム
２１１  第３の弾性体
２１２  ガイド
２１５  第４の弾性体
２１７  軸受け
３０２ａ  基盤下部
３０２ｂ  基盤上部
３１１  第５の弾性体
３１４  排出ボタンガイド
３１５  第６の弾性体
４００  測定装置
４０１  挿入口
５００  廃棄箱
６００  被験者の指先
【図１】
2006189428.tif 000003
【図２】
2006189428.tif 000004
【図３】
2006189428.tif 000005
【図４】
2006189428.tif 000006
【図５】
2006189428.tif 000007
【図６】
2006189428.tif 000008
【図７】
2006189428.tif 000009
【図８】
2006189428.tif 000010
【図９】
2006189428.tif 000011
【図１０】
2006189428.tif 000012
【図１１】
2006189428.tif 000013
【図１２】
2006189428.tif 000014
【図１３】
2006189428.tif 000015
【図１４】
2006189428.tif 000016
【図１５】
2006189428.tif 000017
【図１６】
2006189428.tif 000018
【図１７】
2006189428.tif 000019